(57)【特許請求の範囲】
【請求項１】
子供用おまるであって、
前記おまるが開いた状態にあるときに子供の尻を支えるように曲線を付けられた上面と前記上面の前部領域に設けられた隆起部分を有し、前記子供からの排出物を受け取るための空洞部を備えたシート部分と、
前記シート部分に結合可能であり、前記おまるが閉じた状態にあるときに前記シート部分と係合して、該シート部分との間にシールを形成するように構成された蓋部分と、
前記蓋部分を前記シート部分へ向けて付勢し、前記おまるが前記閉じた状態にあるときに前記蓋部分と前記シート部分との間の相対的な動きを防ぐように構成された固定手段と、
を備え、前記シールが、前記おまるの向きに関わらず前記空洞部内の排泄物が外に出るのを阻止するように構成され、
前記蓋部分が栓を備え、該栓は、前記おまるが閉じた状態にあるときに前記シート部分の前記空洞部の内面と係合して、前記栓と前記内面との間にシールを形成するように構成され、
前記栓が、該栓のコア部分の周囲に結合されたリングを備え、該リングが、前記空洞部の前記内面に接触したときに変形することにより、該内面とともにリップシールを形成するように構成され、
前記隆起部分は当該子供用おまるが男の子によって使用されるとき、尿を前記空洞部内に向ける、
ことを特徴とする子供用おまる。
【請求項２】
前記シート部分と前記蓋部分との間に配置されて、前記おまるが閉じた状態にあるときに前記シート部分と前記蓋部分との間に前記シールを形成するシール部材を備える、請求項１に記載の子供用おまる。
【請求項３】
前記シール部材が圧縮シール部材である、請求項２に記載の子供用おまる。
【請求項４】
前記栓が複数のリングを備え、各々のリングがその他の、又は各々のその他のリングと平行に前記コア部分上に結合されて、前記空洞部の前記内面に接触したときに変形することにより、該内面とともに複数のリップシールを形成するように構成される、請求項１から請求項３のいずれかに記載の子供用おまる。
【請求項５】
前記蓋部分が前記シート部分に枢動可能に結合される、請求項１から請求項４のいずれかに記載の子供用おまる。
【請求項６】
前記蓋部分が前記シート部分から取り外し可能である、請求項１から請求項５のいずれかに記載の子供用おまる。
【請求項７】
前記固定手段がラッチを含む、請求項１から請求項６のいずれかに記載の子供用おまる。
【請求項８】
前記固定手段がストラップを含む、請求項１から請求項７のいずれかに記載の子供用おまる。
【発明の詳細な説明】
【技術分野】
【０００１】
本発明は、幼児用のおまるの技術分野に関し、特に外出できるようになったときに使用するための携帯用おまるに関する。
【背景技術】
【０００２】
従来の旅行用おまるは、容易にスーツケースに詰め込み、或いは着替え用バッグにさえ入れ込むことができるように非常にコンパクトかつ軽量に構成された折り畳み器具の形のものが知られている。これらの器具は、いくつかの脚部を有する実質的に平らな角度のシート部品を備え、脚部は通常４本であり、これらはシート部品に枢動可能に取り付けられる。使用時には脚部が折り畳まれ、シート部品を覆って汚物処理袋が取り付けられる。子供はシート部品の上面に座り、これを通常のおまるのように使用する。排泄物はすべて袋内に集められ、液体は袋内の吸収パッドにより吸収される。その後、袋はくくられて親の都合の良いときに処理される。おまるは、その後再び折り畳んでしまい込むことができる。
【０００３】
このような器具に伴う問題点は、主に標準的なおまるとは似ていないことにより、子供が使用するには程遠いものであると感じる点である。さらに、この器具の安定性は標準的なおまるよりも極めて低く、子供が使用しようとしたときに安心感が無い。さらに、人間の排泄物を入れた薄いビニール袋を持ち歩くことが衛生的であるかどうかはせいぜい疑わしい。
【０００４】
代替の器具が「漏れない」器具として市販されており、これには蓋を緩めに取り付けた２つの部品からなるプラスチックの箱が設けられている。このような容器は一旦使用すると、公衆トイレを見つけて器具を空っぽにすることができるまで水平に保たねばならない。このような器具は、例えば足下の空間内で平らに保持しておくことができるような車内に置いておくためにはメリットがあるかもしれない。しかしながら、このような器具は、車から離れたときに使用するには実用的でなく、従って一旦使用すると特に携帯用ではなくなる。このような器具は、排泄物を収容するためにビニール袋を使用することを避けてはいるが、この代替の器具には前述の他の問題点、すなわち安定性が無いこと及びなじみが無いことが伴う。
【発明の概要】
【発明が解決しようとする課題】
【０００５】
高度の携帯性を有するとともに前述の問題点を解決する旅行用おまるを提供することが望ましい。
【課題を解決するための手段】
【０００６】
本発明によれば、
おまるが開いた状態にあるときに子供の尻を支えるように曲線を付けられた上面を有し、子供からの排出物を受け取るための空洞部を備えたシート部分と、
シート部分に結合可能であり、おまるが閉じた状態にあるときにシート部分と係合して、これとの間にシールを形成するように構成された蓋部分と、
蓋部分をシート部分へ向けて付勢し、おまるが閉じた状態にあるときにこれらの間の相対的な動きを防ぐように構成された固定手段と、
を備えたおまるが提供され、上記シールは、おまるの向きに関わらず空洞部内の排泄物が外に出るのを阻止するように構成される。
【０００７】
確実にシール可能なおまるを提供することにより、差し迫って公衆トイレに行って器具を空っぽにできる見込みがなくても器具をどこででも使用できるという多用途性と併せて、子供にとって安定した台座が実現される。さらに、その後適当な処理する場所が見つかるまで人間の排泄物を入れた薄っぺらな袋を持ち運ぶ必要はない。おまるを閉じた状態にすると、上記排泄物が外に出る危険性を伴わずにおまるの向きを変えることができる。従って、取っ手又はその他の手段により、おまるを片手で自然に持ち運ぶことができる。或いは、使用したおまるをベビーカーの下に、又はベビーカーのハンドルに掛けて容易にしまい込むことができる。その後、安全で都合がよく衛生的なときにおまるを空にして掃除することができる。
【０００８】
シート部分と蓋部分との間にシール部材を配置して、おまるが閉じた状態にあるときにこれらの間にシールを形成することができ、このシール部材を圧縮シール部材によって設けることができる。
【０００９】
蓋部分は対応する栓を備えることができ、この栓は、おまるが閉じた状態にあるときにシート部分の空洞部の内面と係合して、この栓と内面との間にシールを形成するように構成される。この対応する栓は、コア部分の周囲に結合された対応するリングを備えることができ、このリングは、空洞部の内面に接触したときに変形することにより、この内面とともにリップシールを形成するように構成される。この対応する栓は複数の対応するリングを備えることができ、個々のリングがその他の、又は個々のその他のリングと平行にコア部分上に結合されて、空洞部の内面に接触したときに変形することにより、この内面とともに複数のリップシールを形成するように構成される。
【００１０】
蓋部分は、シート部分に枢動可能に結合することができる。蓋部分は、シート部分から取り外し可能とすることができる。
【００１１】
固定手段は、１又はそれ以上の解除可能なラッチ機構を含むことができる。或いは、固定手段はストラップを含むことができる。このストラップをおまるの周りに縛り付け、或いはこれにバックル、留め具又はラチェット機構を設けることができる。
【００１２】
以下、添付図面を参照しながら本発明についてより詳細に説明する。
【図面の簡単な説明】
【００１３】
【図１】開いた状態にある旅行用おまるを示す図である。
【図２】図１のおまるの蓋部分の断面図である。
【図３】閉じた状態にある図１のおまるを示す図である。
【図４ａ】おまるの代替の蓋部分５の断面図である。
【図４ｂ】おまるの代替の蓋部分５の断面図である。
【図５】ストラップを含む代替のシール手段を示す図である。
【発明を実施するための形態】
【００１４】
図１は、シート部分１５及び蓋部分２０を備えた旅行用おまる１０を示している。シート部分１５は、子供が快適に座れるように人間工学的に設計された曲線を付けられた上面２５を備える。シート部分１５内には、上面２５内に開口部を有する空洞部３０が形成される。上面２５及び空洞部３０は、滑らかな表面を成してこれらの洗浄を補助するために、成形プラスチック材料などの単一の材料で形成されることが好ましい。空洞部３０は、おまる１０のシート部分１５の上面２５に座った子供の排泄物を受け取るように構成される。
【００１５】
上面２５の形状は、器具１０を使用しようとするあらゆる子供になじみがあるように従来のおまるの形状に類似する。具体的には、上面２５の前部領域に隆起部分３５が設けられる。この隆起部分３５は、小さな男の子がおまる１０を使用しているときに尿を空洞部内へ向ける手段として機能するように構成される。
【００１６】
第１の実施形態では、蓋部分２０がヒンジ４０を介してシート部分１５に結合される。従って、蓋部分２０をシート部分１５上へ枢動可能に回転させておまる１０を閉じるようにすることができる。図１に示すように、蓋部分２０は、対応する栓５０を上部に装着した突き出たコア部分４５を備える。この対応する栓５０は、図２により詳細に示すように、栓５０の周囲に配置された１又はそれ以上の対応するリング５５を備える。この実施形態では、３つの対応するリング５５を示しているが、単一のリング５５で充分な場合もある。実際に、栓５０を適切に対応する材料で形成した場合、対応するリング５５を省き、従って洗浄をより容易にすることができる滑らかな表面を成すことが望ましい場合もある。
【００１７】
蓋部分２０とシート部分１５との間には、締結又は固定手段６０が設けられる。蓋部分２０上に設けられた可動ラッチ部分６０ａが、シート部分１５上に設けられた固定された受入部分６０ｂの上に付勢されてこれと係合する。締結手段６０は、おまる１０を閉じた状態で固定する働きをする。閉じた状態にあるおまる１０を示す図３に、解除機構、ここではボタン６５を示している。ボタン６５を押下げることにより、可動ラッチ部分６０ａが動かされて受入部分６０ｂから外れることによって締結手段６０が解除される。
【００１８】
図３は、おまる１０に、好ましくはシート部分１５上で取っ手７０をどのように結合しているかをさらに示している。取っ手７０は、たとえ子供であってもおまるを容易に持ち運びができるように、おまる１０の周囲面上に位置することが好ましい。さらに、取っ手７０は、おまる１０をベビーカーのハンドルに掛けるのに十分な大きさのものであることが好ましい。
【００１９】
動作中、一度おまる１０を使用すると、蓋部分２０をシート部分１５と接触させておまる１０を閉じることができる。対応する栓５０の周囲が空洞部３０の内面と接触するように付勢され、ラッチ部分６０ａ、６０ｂが互いに係合する。栓５０上に対応するリング５５が存在する場合、リング５５が各々変形して空洞部３０の内面に対してリップシールを形成する。例示の実施形態では、３つのこのようなリング５５が設けられており、従って蓋部分２０がシート部分１５と接触すると、空洞部３０の内面に対して複数のリップシールが形成される。
【００２０】
代替の実施形態では、蓋部分又はシート部分に１又はそれ以上の周方向シール部品を設けて、図４に示すようにこれらの周囲に配置することができる。このＯリングシール８０ａ（図４ａ）又は圧縮シール８０ｂ（図４ｂ）などのシール部品は、対向するシート部分又は蓋部分の対応する周辺領域にそれぞれ接触するように構成される。周方向シール部品を備えたおまるは、必ずしも必要なわけではないが、対応する栓をさらに備えることができる。
【００２１】
別の実施形態では、使用時には蓋部分をおまるのシート部分から完全に取り外すことができるが、使用後にはシート部分に接触してこれに固定されるようにすることができる。シート部分単独であれば日常的に使用してもそれほど嵩張らないので、このような構成は、おまるを追加的に家の周りで使用する場合に特に有用である。
【００２２】
２又はそれ以上のラッチ機構を使用して蓋部分をシート部分に固定することもでき、或いは図５に示すように、調整可能なストラップ８５を使用して蓋部分とシート部分との間の接触を保持することもできる。このようなストラップをおまるの周りに縛り付けることができ、或いはストラップが、バックル９０、留め具又はラチェット機構を備えることができる。おまるの外面に凹部９５を好適に形成してストラップの動きを抑制し、位置決めブラケット１００を使用して、この、又は個々のストラップの位置を向上させることもできる。
【００２３】
おまるが使えるようにしつけた後、このおまる１０は、子供と旅行し、或いはさもなければ外出するあらゆる親に便利で衛生的で望ましい選択肢を与える。
【００２４】
おまる１０は強固な器具であり、日常の使用に適しているため、家庭で及び移動時にそれぞれ使用するための別個のおまるではなく単一の器具を持つという選択肢を親に与える。
【００２５】
蓋部分２０又はシート部分１５のいずれか又はこれらの両方の外側に、窪み又は別様に平らな部分を設けることもできる。この部分にキャラクタのイラスト又は表示を加えて、おまる１０を子供にとってさらに望ましいものにすることができる。或いは、外面全体に高度な装飾を施して同じ効果を生み出すことができる。
【００２６】
上述したこれらの利点の各々は、子供がこのおまるの「持ち主となること」を後押しする。結果として、子供をおまるが使えるようにしつけることの煩わしさ／ストレスが減り、さらにこのしつけがより容易に達成される。
【００２７】
要約すれば、旅行用おまる１０は、持ち歩きできる強固な器具であるため子供の興味を引くように構成され、実際に子供のお気に入りの本から取ったキャラクタを表示することさえもでき、このため子供がおまる１０の持ち主となることを後押し、結果的におまる１０を使用することを後押しする。さらに、おまる１０は、外出できるようになったときに容易に運ぶことができ、子供はこのおまる１０を喜んで使用し、一度使用すると、排泄物を処理しておまるを洗浄するのに都合のよい時間まで内容物をおまる１０内に確実に保持することができるので、親にとって実用的な器具である。
【符号の説明】
【００２８】
１０  おまる
１５  シート部分
２０  蓋部分
２５  上面
３０  空洞部
３５  隆起部分
４０  ヒンジ
５０  栓
６０ａ  ラッチ部分
６０ｂ  受入部分
【図１】
0005694142.tif 000002
【図２】
0005694142.tif 000003
【図３】
0005694142.tif 000004
【図４ａ】
0005694142.tif 000005
【図４ｂ】
0005694142.tif 000006
【図５】
0005694142.tif 000007